(57)【要約】  エンドレス乗客移送バンド（４）およびエンドレスハンドレール（６）と、移送バンド（４）の側方に配置され、ハンドレール（６）を支持するガラス・バラストレード（８）と、ガラス・バラストレード（８）と係合し、照明キャビティ（４４）を備える異形材（１０，１２）と、を有する乗客コンベヤ（２）において、複数のＬＥＤ（４５）が、照明キャビティ（４４）内に配置される。
2008521722.tif 000002
【特許請求の範囲】
【請求項１】
エンドレス乗客移送バンド（４）およびエンドレスハンドレール（６）と、前記移送バンド（４）の側方に配置され、前記ハンドレール（６）を支持するガラス・バラストレード（８）と、該ガラス・バラストレード（８）と係合し、照明キャビティ（４４）を備える異形材（１０，１２）とを有し、複数のＬＥＤ（４５）が、前記照明キャビティ（４４）内に配置されることを特徴とする乗客コンベヤ（２）。
【請求項２】
前記ＬＥＤ（４５）が、光を前記ガラス・バラストレード（８）の縁（４８）内に投射するように配置されることを特徴とする請求項１に記載の乗客コンベヤ（２）。
【請求項３】
前記異形材（１０，１２）が、前記ガラス・バラストレード（８）と係合するＵ字溝（３８）を備え、前記照明キャビティ（４４）が、前記Ｕ字溝（３８）の延長部であることを特徴とする請求項１あるいは請求項２に記載の乗客コンベヤ（２）。
【請求項４】
埋め込み材料（４３）が、前記ＬＥＤ（４５）を前記照明キャビティ（４４）内に取り付けるのに用いられることを特徴とする請求項１〜請求項３のいずれかに記載の乗客コンベヤ（２）。
【請求項５】
前記埋め込み材料（４３）が、透明であることを特徴とする請求項４に記載の乗客コンベヤ（２）。
【請求項６】
前記埋め込み材料（４３）が、良好な熱伝導率を有することを特徴とする請求項４あるいは請求項５に記載の乗客コンベヤ（２）。
【請求項７】
前記ＬＥＤ（４５）が、個々のＬＥＤおよび／またはＬＥＤの群が独立して切換えられるように、電源（２８）と電気的に接続されることを特徴とする請求項１〜請求項６のいずれかに記載の乗客コンベヤ（２）。
【請求項８】
前記ＬＥＤ（４５）を独立して切換えるために、バスシステムが設けられることを特徴とする請求項７に記載の乗客コンベヤ（２）。
【請求項９】
前記Ｕ字溝が、Ｕ字形の開口部から底面（４２）に向かう方向において、前記Ｕ字溝（３８）の側壁（４０）と平行に画定される深さ方向を有し、前記照明キャビティ（４４）が、前記深さ方向において、前記Ｕ字溝の延長部であることを特徴とする請求項３〜請求項８のいずれかに記載の乗客コンベヤ（２）。
【請求項１０】
前記Ｕ字溝（３８）が、Ｕ字形の開口部から底面（４２）に向かう方向において、前記Ｕ字溝（３８）の前記側壁（４０）と平行に画定される深さ方向を有し、前記照明キャビティ（４４）が、前記側壁（４０）の１つの内に前記深さ方向と直交して延びる前記Ｕ字溝（３８）の延長部であることを特徴とする請求項３〜請求項８のいずれかに記載の乗客コンベヤ（２）。
【請求項１１】
弾性中間層（４６）が、前記Ｕ字溝（３８）の前記側壁（４０）に沿って、前記異形材（１０，１２）と前記ガラス・バラストレード（８）との間に設けられ、前記中間層（４６）が、前記照明キャビティ（４４）の壁と前記ＬＥＤとの間にも設けられることを特徴とする請求項３〜請求項１０のいずれかに記載の乗客コンベヤ（２）。
【請求項１２】
前記異形材（１０）が、複数のネジ（５０）の手段によって、前記ガラス・バラストレード（８）にネジ止めされることを特徴とする請求項１〜請求項１１のいずれかに記載の乗客コンベヤ（２）。
【請求項１３】
前記異形材（１０）が、前記ガラス・バラストレード（８）の上に取り付けられ、前記ハンドレール（６）のガイド支持体をなすことを特徴とする請求項１〜請求項１２のいずれかに記載の乗客コンベヤ（２）。
【請求項１４】
前記異形材（１２）が、前記乗客コンベヤ（２）の下部構造（１４）に取り付けられ、前記ガラス・バラストレード（８）を支持することを特徴とする請求項１〜請求項１３のいずれかに記載の乗客コンベヤ（２）。
【請求項１５】
前記ハンドレール（６）を静電接地する手段（５４）が設けられることを特徴とする請求項１４に記載の乗客コンベヤ（２）。
【請求項１６】
前記ＬＥＤの一部が、共通の印刷回路基板に支持されることを特徴とする請求項１〜請求項１５のいずれかに記載の乗客コンベヤ（２）。
【請求項１７】
前記異形材（１０，１２）が、該異形材（１０，１２）の長手方向において互いに接合される複数の異形材セグメント（３２）から形成され、該異形材セグメント（３２）を互いに電気的に接続するために、電気コネクタが、前記異形材セグメント（３２）の長手方向の端部に設けられることを特徴とする請求項１〜請求項１６のいずれかに記載の乗客コンベヤ（２）。
【請求項１８】
前記異形材（１０，１２）が、熱放散を増大させるフィンまたはリップを備えることを特徴とする請求項１〜請求項１７のいずれかに記載の乗客コンベヤ（２）。
【請求項１９】
前記ガラス・バラストレード（８）と係合するＵ字溝（３８）と、該Ｕ字溝（３８）の延長部であって複数のＬＥＤが配置される照明キャビティ（４４）と、を備える請求項１７または請求項１８のいずれかに記載のエレベータ用異形材セグメント（２）。
【発明の詳細な説明】
【技術分野】
【０００１】
本発明は、エンドレス乗客移送バンドおよびエンドレスハンドレールと、移送バンドの側方に配置され、ハンドレールを支持するガラス・バラストレードと、ガラス・バラストレードと係合し、照明キャビティを備える異形材と、を有する乗客コンベヤに関する。
【背景技術】
【０００２】
この種の乗客コンベヤは、例えば、独国特許発明第４２０９５０５Ｃ１号明細書および国際公開第０２／２０３７８号パンフレットから知られている。特に、乗客コンベヤは、エスカレータまたは動く歩道とすることができる。従って、エンドレス乗客移送バンドは、エンドレス回転移送バンドを形成するように互いに配列される複数の個々のステップまたはパレットを備えることができる。代替的に、弾性エンドレスベルトが、移送バンドを形成してもよい。ハンドレールは、好ましくは、エンドレス乗客移送バンドと一緒に移動可能である。
【０００３】
ガラス・バラストレードの照明は、審美的な理由のみならず、安全性の理由から有利である。本出願の文脈における「ガラス・バラストレード」は、必ずしもガラスである必要がない透明材料または半透明材料から作製されるバラストレードを指す。移送バンド、特にエスカレータの場合は、ステップを照明すると、特に有利である。現在、標準的なエスカレータは、ガラス・バラストレードを照明する管状の照明装置を有する。しかし、管状の照明装置は、かなりの空間を必要とし、スリムな外観のバラストレードの設計が、特に、ガラス・バラストレードを上から、すなわち、ハンドレールの下から照明することが望まれる場合、容易に達成されない。前述の先行技術の文献および同様の米国特許第６，１２９，４４２号明細書は、光源からの光をバラストレードの上の異形材に案内する光ガイドを用いることを示唆している。さらに、このような先行技術の文献は、特に、ガラス・バラストレードを小さい周面または最前面から照明することが望まれる場合、異形材を得るのに透明材料を用いることを示唆している。何故なら、光ガイドを異形材内に保持するために、隔てられた照明キャビティが異形材内に設けられるからである。両方の特徴、すなわち、透明な異形材および隔てられることが必要とされる照明キャビティは、一般的に、既存の乗客コンベヤ設備には存在していない。従って、ハンドレールの下方を照明するように既存の乗客コンベヤを再装備することは、実質的に不可能である。
【０００４】
さらに、既存のシステムは、ガラス・バラストレード上に情報を強調して表示するためにまたは審美的な理由から望まれることがあるガラス・バラストレードに沿って照明される多数の区域または多数の個所を独立して切換えることができない。
【０００５】
他の点は、このような光ガイドシステムは、ガラス・バラストレードの全体に沿って充分な光強度を与えるために、極めて強力な照明源を必要とすることである。このような光源は、一般的には、上階または下階内に配置され、用途によっては確保できないことがある大きな空間を占める。また、光ガイドシステムは、一般的に、比較的多量のエネルギを消費する。
【発明の開示】
【発明が解決しようとする課題】
【０００６】
本発明の目的は、高照明密度を有し、特に上階の領域および下階の領域において、光源に対して可能な限り小さい空間しか必要とせず、耐久性のある低エネルギ消費の光源をもたらし、ガラス・バラストレードに沿って照明される多数の区域または多数の個所を個別に切換える任意選択的な仕様をもたらす、前述の形式の乗客コンベヤをもたらすことにある。
【課題を解決するための手段】
【０００７】
本発明の実施例によれば、この目的は、複数のＬＥＤ（発光ダイオード）が照明キャビティ内に配置される前述したような乗客コンベヤによって、解消される。
【０００８】
ＬＥＤは、光をガラス・バラストレードの縁または周面内および／またはガラス・バラストレードの片方または両方の側面内に導くように、配置される。ＬＥＤは、個別に切換可能な個々の光源である。これらのＬＥＤは、異形材の長さに沿って分配されるので、ガラス・バラストレードの選択された部分を照明することができる。ＬＥＤは、極めて小形で乗客コンベヤ内に好都合に設置され得る電源しか必要としない。さらに、ＬＥＤは、高照明密度を有することができる。照明管体と比較して、ＬＥＤは、極めて小さい空間しか占めないので、ＬＥＤによってガラス・バラストレードを照明するように既存の異形材を再装備することができる。ＬＥＤが個別に配置されるという事実によって、ハンドレールのニューエルの弓状部を照明することも容易である。さらに、異なる色のＬＥＤ、すなわち、制御の方法に依存して異なる色を生じさせるＬＥＤを用いることもできる。従って、審美的な目的および警告の目的の両方に対して、異なる照明効果および色効果を生じさせることができる。ＬＥＤに給電するのに極めて小さい電圧しか必要としないことが、ＬＥＤを用いる他の利点である。仮に、何がしかの理由によって、乗客がＬＥＤに給電する導体と接触したとしても、乗客は、電圧によって危害を受けることがない。さらに他の利点は、ＬＥＤによって消耗される電力が少なく、ＬＥＤによって生じる熱が比較的小さいことである。
【０００９】
好ましくは、異形材は、Ｕ字溝を備え、照明キャビティは、このＵ字溝の延長部である。代替的に、異形材は、透明材料または半透明材料から作製されてもよく、照明キャビティは、ガラス・バラストレードと係合するＵ字溝とは別に設けられてもよい。しかし、もし照明キャビティがＵ字溝の延長部で、ＬＥＤが、ガラス・バラストレードと光学的に直接接触する場合、異形材は、良好な熱伝導率を有する材料、例えば、金属材料、好ましくは、アルミニウムまたはアルミニウム合金から作製されるとよい。ＬＥＤがわずかな量の熱しか生じないという事実にもかかわらず、ＬＥＤは熱を生じ、この熱は放散させる必要がある。前述したような透明な異形材は、一般的には良好な熱導体ではない樹脂材料から作製される。もしＬＥＤがこのような樹脂製の異形材の照明キャビティ内に用いられる場合、およびもし熱エネルギを放散させる手段をも設けられない場合、ＬＥＤは、高温で作動することを余儀なくされ、これによって、ＬＥＤの時期尚早の故障が生じることがある。ＬＥＤを良好な熱伝導率を有する材料から作製される異形材と組合せて用いることによって、良好な熱放散およびＬＥＤの合理的な作動温度を確保することができる。
【００１０】
好ましくは、ＬＥＤを照明キャビティ内に取り付けるのに、埋め込み材料が用いられる。一般的に、埋め込み材料の利点は、ＬＥＤを照明キャビティ内にしっかりと位置決めすることである。何故なら、これによって、乗客コンベヤの組立が容易になる。さらに、埋め込み材料を用いることによって、ＬＥＤは、その照明方向を維持して、その場に固定される。好ましくは、埋め込み材料は、どのような種類のプラスチック材料であってもよい。埋め込み材料は、硬化状態において、柔軟であるとよい。これによって、埋め込まれたＬＥＤを異形材内に容易に設置することができ、また、例えば、ニューエル部における異形材の曲げが容易になる。例えば、エポキシ樹脂を用いることができる。
【００１１】
光異形材の本体の外で、ＬＥＤを埋め込み材料内に埋め込み、この埋め込まれた照明帯体を、この後、本体内に組込むことができる。この場合、柔軟な埋め込み材料が特に好ましい。また、ＬＥＤと埋め込み材料を支持し、これらのＬＥＤおよび埋め込み材料と一緒に照明帯体を形成する支持体、例えば、金属、アルミニウム、プラスチック材料などから作製されるＵ字溝を設けることもできる。光異形材内に、このような照明帯体を取り付けることができる。
【００１２】
好ましくは、埋め込み材料は、ガラスまたは水のように透き通っているか、透明か、または半透明である。透明な埋め込み材料を用いることによって、ＬＥＤを埋め込み材料内に完全に封入することができる。また、ＬＥＤを埋め込み材料内に完全に封入せずに、ＬＥＤの照明側を埋め込み材料の外に延ばすことも好ましい場合がある。この場合、透明な埋め込み材料を用いる必要がない。
【００１３】
好ましくは、埋め込み材料は、良好な熱伝導率を有する。このような埋め込み材料によって、ＬＥＤによって生じた熱がＬＥＤおよび照明キャビティから異形材の材料内に良好に放散されるのが確実になる。
【００１４】
好ましくは、ＬＥＤは、個々のＬＥＤおよび／またはＬＥＤの群が独立して切換えられるように、電源に電気接続される。このような独立した切換えを制御するのに、通常のマイクロプロセッサなどの制御装置を用いることができる。変化のない照明を生じさせるのみならず、移動する照明または時間的に変化する照明を生じさせることもできる。従って、移動する照明によって、乗客コンベヤの移送方向を、例えば、移動するバーまたは矢印によって表示することができる。
【００１５】
ＬＥＤの全てまたはいくつかを薄暗くしおよび／またはＬＥＤの全てまたはいくつかの色を変化させ、また薄暗くする効果および／または色を変化させる効果を時間的に変化させるかまたは移動させることも可能である。
【００１６】
好ましくは、ＬＥＤを独立して切換えるために、バスシステムが設けられる。バスシステムは、ＬＥＤの配線を実質的に低減させ、これによって、異形材内の空間消費を低減させることができる。
【００１７】
好ましくは、Ｕ字溝は、Ｕ字形の開口部から底面に向かう方向において、Ｕ字溝の側壁と平行に画定される深さ方向を有し、照明キャビティは、この深さ方向におけるＵ字溝の延長部である。このような異形材の形状を用いることによって、ＬＥＤの照明側をガラス・バラストレードの周辺の前面と向き合わせて、ＬＥＤを異形材内に配置し、かつ埋め込むことができる。さらに、このような照明装置の製造は、極めて簡単である。何故なら、ＬＥＤをこのような拡大した溝内に容易に取り付けることができるからである。
【００１８】
好ましくは、Ｕ字溝は、Ｕ字形の開口部から底面に向かう方向において、Ｕ字溝の側壁と平行に画定される深さ方向を有し、照明キャビティは、Ｕ字溝の側壁の１つの内に深さ方向と直交して延びるＵ字溝の延長部である。この構成によって、ＬＥＤの照明側が、ガラスパネルの側面の１つと向き合う位置にもたらされる。ＬＥＤおよび、可能であれば、照明キャビティを、Ｕ字溝の深さ方向およびガラス・バラストレードの面に対して、それぞれ、傾けることができ、これによって、ＬＥＤは、ガラスパネルの面に対して、０°から９０°の間、好ましくは、１０°から８０°の間、最も好ましくは、３０°から６０°の間の角度で、光をガラスパネル内に放射することができる。
【００１９】
好ましくは、弾性中間層が、Ｕ字溝の側壁に沿って異形材とガラス・バラストレードとの間に設けられ、好ましくは、このような中間層は、照明キャビティの壁とＬＥＤとの間にも設けられる。このような構成を用いることによって、照明キャビティへのＬＥＤの取り付け、特に、ＬＥＤの照明キャビティへの埋め込みによって、このような弾性中間層を異形材内に固定することができる。半透明または透明な弾性中間層を用いることができる。このような半透明または透明な中間層は、照明キャビティの壁とＬＥＤとの間には設ける必要がないが、ＬＥＤとガラス・バラストレードとの間には設けられてもよい。
【００２０】
好ましくは、異形材は、複数のネジによって、ガラス異形材にネジ止めされる。既存の構成では、異形材は、バネ手段によって、バラストレードに固定される。このバネ手段は、ガラス・バラストレードに付勢され、これによって、異形材をガラス・バラストレードに固定する。バネ手段は、製造および設置が容易ではない。通常、このようなバネ手段は、個々の用途ごとに特別注文しなければならないので、比較的高価な部品になる。ネジは、在庫品から得ることができ、このようなバネ手段と比べて比較的安価である。
【００２１】
好ましくは、異形材は、ガラス・バラストレードの上に取り付けられ、ハンドレールのガイド支持体をなす。
【００２２】
好ましくは、異形材は、乗客コンベヤの下部構造に取り付けられ、ガラス・バラストレードを支持する。ガラス・バラストレードを支持し、かつハンドレールを支持するのに本発明による異形材を用いることによって、ガラス・バラストレードを上下から照明することができ、その結果、極めて高い照明密度およびガラス・バラストレードの全体にわたる均等の強度分布を実現することができる。
【００２３】
好ましくは、ハンドレールを静電接地する手段が設けられる。動くハンドレールは、一般的には、帯電を受けるエラストマー材料から作製される。その結果、ＬＥＤを破壊することもある極めて高い電圧が生じる可能性がある。ＬＥＤの寿命を確実に延ばすために、ＬＥＤ照明と共に静電接地がなされることが好ましい。
【００２４】
好ましくは、ＬＥＤの少なくとも一部が、共通の印刷回路基板に支持される。印刷回路基板は、好ましくは、可撓性である。特に、ＬＥＤは、印刷回路基板に表面実装されてもよい。印刷回路基板は、ＬＥＤに給電する導体を備えることができる。印刷回路基板は、データライン、例えば、バスシステムのデータバスをさらに備えることができ、バスシステムと一緒に個々のＬＥＤまたは個々のＬＥＤの群に関して用いられる論理要素をさらに備えることができる。
【００２５】
好ましくは、乗客コンベヤの異形材は、複数の異形材セグメントから形成される。これらの異形材セグメントは、異形材の長手方向において互いに接合され、好ましくは、異形材セグメントを互いに電気的に接続するために、異形材セグメントの長手方向の端部に設けられる電気コネクタを有する。好ましくは、１つの異形材セグメントのＬＥＤは、共通の印刷回路基板に取り付けられる。
【００２６】
好ましくは、異形材および異形材セグメントは、それぞれ、熱放散を増大させるフィンまたはリブを備える。このようなフィンまたはリブを、異形材の外側、すなわち、環境と向き合う側に設けることができる。これらのフィンまたはリブは、ＬＥＤから異形材の材料内への熱放散を増大させるために、照明通路内に設けられてもよい。熱電性の埋め込み材料が用いられる場合でさえ、埋め込み材料から異形材の材料への熱伝達を改良するために、このような内部フィンまたはリブを設けることができる。
【００２７】
本発明は、一実施例において、本発明によるエスカレータ用の異形材セグメントに関する。この異形材セグメントは、ガラス・バラストレードと係合するＵ字溝と、好ましくは、Ｕ字溝の延長部であって複数のＬＥＤが配置される照明キャビティと、を備える。一般的に、乗客コンベヤおよび異形材と関連して前述した全ての特徴が、異形材セグメントにも適用されることに、留意すべきである。
【発明を実施するための最良の形態】
【００２８】
図１には、本発明の実施例による乗客コンベヤ２が示されている。特に、図１の乗客コンベヤ２は、エスカレータであるが、本発明は、動く歩道などによって実現されてもよい。乗客コンベヤ２は、互いに隣接して配列された複数のステップからなるエンドレス乗客移送バンド４を有する。乗客コンベヤ２は、乗客移送バンド４と平行に移動するエンドレスハンドレール６をさらに備える。ガラス・バラストレード８が、移送バンド４の側方に配置され、ハンドレール６を支持する。特に、ハンドレール６は、ガラス・バラストレードの上に取り付けられた異形材１０によって支持される。異形材１０と同様に、他の異形材１２がさらに配置されている。この異形材１２は、乗客コンベヤ２の下部構造１４によって支持され、ガラス・バラストレードを支持する。
【００２９】
以下に詳細に説明するように、ガラス・バラストレード８は、異形材１０および／または異形材１２内に設けられた照明装置によって照明される。ガラス・バラストレード８は、移送バンド４を照明するために、または情報を表示するためもしくは単に装飾の目的のために、ガラス・バラストレード８の空間から光を散乱させるように、構造化される。このような構造を、特定の領域のみに、例えば、表示される画像または言葉の形態で、もたらすことが可能である。しかし、このような構造を、ガラス・バラストレード８の片面または両面の全体にもたらすこともできる。この構造は、種々の技術、例えば、グリッドブラストまたはサンドブラストのようなブラスト技術によって得られる。このような構造を表面に印刷することも可能である。目下のところ、スクリーン印刷、特に、セラミック材料のスクリーン印刷が、最も好ましい。
【００３０】
図１から分かるように、ハンドレールは、傾斜領域１６、遷移領域１８、およびハンドレールがニューエルの弓状部２２の周りに案内されるニューエル領域２０を通るエンドレス経路を辿り、次いで、戻り経路２４を辿る。戻り経路には、ハンドレール駆動装置２６が配置されている。ガラス・バラストレード８を照明する電力を供給する電源２８は、上階の下方の空間３０に配置されてもよく、または乗客コンベヤ２内の他の場所もしくは乗客コンベヤ２の外部に配置されてもよい。
【００３１】
バラストレード８を支持する異形材１２と同様に、ハンドレール６を支持する異形材１０は、異形材１０の長手方向に互いに隣接する複数の異形材セグメント３２から作製される。
【００３２】
図２は、ニューエル領域２０および戻り経路２４以外のハンドレール装置３４の任意の箇所におけるハンドレール装置３４の断面図である。図２から分かるように、ハンドレール装置３４は、従来通りの弾性ゴム材料から作製されるハンドレール６と、異形材１０によって支持されるスライディングガイド３６とを備える。異形材１０は、側壁４０を備えるＵ字溝３８を有する。Ｕ字溝３８のＵ字形は、図２では、下向きに開口し、底面４２を有する。
【００３３】
異形材１２も、Ｕ字溝を備え、いくつかの点で、異形材１０に類似していることに留意すべきである。異形材１２は、ハンドレール６を案内する手段を必ずしも有しなくてもよい。異形材１０，１２は、好ましくは、良好な熱伝導率を有する材料、例えば、金属などから作製される。好ましくは、異形材１０，１２は、押出しアルミニウム異形材または押出しアルミニウム合金異形材である。照明キャビティ４４が、Ｕ字溝３８の延長部に設けられている。複数のＬＥＤ４５が、照明キャビティ４４内に配置される。これらのＬＥＤは、好ましくは、独オスラム（Ｏｓｒａｍ）社から「ＬＢＥ６７Ｃ  ＰＯＷＥＲ  ＴＯＰＬＥＤ」または「ＬＴ  Ｅ６７Ｃ」の名称で市販されているようなものである。ＬＥＤ４５を照明キャビティ内に取り付けるのに、埋め込み材料４３が用いられる。弾性中間層４６が、異形材１０とガラス・バラストレード８との間に設けられる。図２から分かるように、弾性中間層４６は、Ｕ字溝３８の側壁４０に沿って設けられ、また照明キャビティの壁に沿っても設けられる。ＬＥＤと異形材１０との間、特に、埋め込み材料と異形材１０との間に良好な熱伝導をもたらす目的で、ＬＥＤなどによって生じた熱が中間層４４を通って異形材１０内に放散することを確実にするために、少なくとも照明キャビティの領域において、弾性中間層４６に開口部を設けることができる。
【００３４】
照明異形材４２内の照明によって生じる温度を低下させるさらに他の選択肢として、比較的大きな断面積を有する導体を用いて、電力を個々のＬＥＤ５１に供給することができる。「ｌａｐｐ  ｃａｎｅｌ」の「ｏｅｌｆｌｉｄ  １９１」（３Ｇ  １，５ｍｍ／１６ＡＷＧ）の型式のワイヤが適切であることが分かっている。電力をＬＥＤ５１に供給すると共にＬＥＤ５１の照明の色、密度などを制御する電源が、設けられてもよい。複数のステップが、例えば、建物内において連動して制御される必要がある場合、１つの電源をマスター制御装置として構成することができる。マスター制御装置または他の電源は、予設定値またはＰＣプログラムを介して、色を制御することができ、また照明を変化させないようにまたは変化させるように制御することができる。
【００３５】
図２では、ＬＥＤによって生じた光は、バラストレード８の縁または周辺の前面４８を通って、バラストレード８の空間内に導かれる。
【００３６】
ガラス・バラストレードは、通常、１０ｍｍの幅を有する。好ましくは、ＬＥＤによって形成される照明バンドは、実質的にガラス・バラストレードと同じ幅を有する。
【００３７】
異形材１０は、ネジ５０によって、好ましくは、セルフタッピング・ヘッドレスネジ５０によって、ガラス・バラストレード８に固定される。ネジ開口部は、カバー５２によって覆われるとよい。
【００３８】
図３は、ニューエル弓状部２２の領域における図２と同様の断面図である。ハンドレール６とニューエル弓状部２２との間の摩擦を低減させるために、ローラ５４が、異形材１０内において軸支される。特に、このようなローラは、金属材料、例えば、銅から作製される。ハンドレール６の帯電を回避するために、このようなローラを接地することができる。ローラ軸受５６が、ローラ５４の包絡線内において、概略的に示されている。
【００３９】
ＬＥＤは、好ましくは、照明キャビティ４４の長さに沿って延びる柔軟な印刷回路基板５７に取り付けられる。電力をＬＥＤ４５に送る導体に加えて、データバスが、このような印刷回路基板５７上にまたはそこから離れて、設けられてもよい。このような個々のＬＥＤ４５またはＬＥＤ４５の群を個別に照明するために、データバスは、個々のＬＥＤ４５またはＬＥＤ４５の群に接続されてもよい。この趣旨で、各ＬＥＤ４５またはＬＥＤ４５の各群に対して、データデコーダが設けられる。データデコーダは、印刷回路基板上に一体に形成されてもよいし、ＬＥＤ４５と一体に形成されてもよいが、印刷回路基板に表面実装されてもよいし、データバスおよび１つまたは複数のＬＥＤ４５に個別に接続されてもよい。データデコーダと関連して、データバスの情報がＬＥＤの照明を要求する場合、それぞれのＬＥＤ４５またはＬＥＤ４５の群への電力を切換えるために、切換え手段が設けられてもよい。ＬＥＤ４５を個別にまたは群ごとにオンオフ切換するのに、どのような他の回路または導体装置が設けられてもよい。
【００４０】
ＬＥＤ４５をこのように個別にまたは群ごとに切換える制御装置を用いることによって、ガラス・バラストレード８を局部的に照明することができ、または、例えば、移送バンド４などに立つ乗客の移動に合わせて、照明をガラス・バラストレード８に沿って移動させることができる。
【図面の簡単な説明】
【００４１】
【図１】本発明の実施例によるガラス・バラストレードの照明装置を有する乗客コンベヤを示す図である。
【図２】乗客コンベヤの傾斜領域における、乗客コンベヤのハンドレールを支持する異形材およびガラス・バラストレードの一部の断面図である。
【図３】乗客コンベヤのニューエル弓状部における異形材の図２と同様の断面図である。
【図１】
2008521722.tif 000003
【図２】
2008521722.tif 000004
【図３】
2008521722.tif 000005
【手続補正書】
【提出日】平成18年6月14日(2006.6.14)
【手続補正１】
【補正対象書類名】特許請求の範囲
【補正対象項目名】請求項１
【補正方法】変更
【補正の内容】
【請求項１】
エンドレス乗客移送バンド（４）およびエンドレスハンドレール（６）と、前記移送バンド（４）の側方に配置され、前記ハンドレール（６）を支持するガラス・バラストレード（８）と、該ガラス・バラストレード（８）と係合する異形材（１０，１２）であって、該異形材（１０，１２）と前記ガラス・バラストレードとの間に配置される照明キャビティ（４４）を備える異形材（１０，１２）とを有し、複数のＬＥＤ（４５）が、前記照明キャビティ（４４）内に配置されることを特徴とする乗客コンベヤ（２）。
【手続補正書】
【提出日】平成19年7月23日(2007.7.23)
【手続補正１】
【補正対象書類名】特許請求の範囲
【補正対象項目名】請求項１８
【補正方法】変更
【補正の内容】
【請求項１８】
前記異形材（１０，１２）が、熱放散を増大させるフィンまたはリブを備えることを特徴とする請求項１〜請求項１７のいずれかに記載の乗客コンベヤ（２）。
【手続補正２】
【補正対象書類名】明細書
【補正対象項目名】００２０
【補正方法】変更
【補正の内容】
【００２０】
好ましくは、異形材は、複数のネジによって、ガラス・バラストレードにネジ止めされる。既存の構成では、異形材は、バネ手段によって、バラストレードに固定される。このバネ手段は、ガラス・バラストレードに付勢され、これによって、異形材をガラス・バラストレードに固定する。バネ手段は、製造および設置が容易ではない。通常、このようなバネ手段は、個々の用途ごとに特別注文しなければならないので、比較的高価な部品になる。ネジは、在庫品から得ることができ、このようなバネ手段と比べて比較的安価である。
【手続補正３】
【補正対象書類名】明細書
【補正対象項目名】００３３
【補正方法】変更
【補正の内容】
【００３３】
異形材１２も、Ｕ字溝を備え、いくつかの点で、異形材１０に類似していることに留意すべきである。異形材１２は、ハンドレール６を案内する手段を必ずしも有しなくてもよい。異形材１０，１２は、好ましくは、良好な熱伝導率を有する材料、例えば、金属などから作製される。好ましくは、異形材１０，１２は、押出しアルミニウム異形材または押出しアルミニウム合金異形材である。照明キャビティ４４が、Ｕ字溝３８の延長部に設けられている。複数のＬＥＤ４５が、照明キャビティ４４内に配置される。これらのＬＥＤは、好ましくは、独オスラム（Ｏｓｒａｍ）社から「ＬＢＥ６７Ｃ  ＰＯＷＥＲ  ＴＯＰＬＥＤ」または「ＬＴ  Ｅ６７Ｃ」の名称で市販されているようなものである。ＬＥＤ４５を照明キャビティ内に取り付けるのに、埋め込み材料４３が用いられる。弾性中間層４６が、異形材１０とガラス・バラストレード８との間に設けられる。図２から分かるように、弾性中間層４６は、Ｕ字溝３８の側壁４０に沿って設けられ、また照明キャビティの壁に沿っても設けられる。ＬＥＤと異形材１０との間、特に、埋め込み材料と異形材１０との間に良好な熱伝導をもたらす目的で、ＬＥＤなどによって生じた熱が中間層４６を通って異形材１０内に放散することを確実にするために、少なくとも照明キャビティの領域において、弾性中間層４６に開口部を設けることができる。
【手続補正４】
【補正対象書類名】明細書
【補正対象項目名】００３４
【補正方法】変更
【補正の内容】
【００３４】
照明異形材４２内の照明によって生じる温度を低下させるさらに他の選択肢として、比較的大きな断面積を有する導体を用いて、電力を個々のＬＥＤ４５に供給することができる。「ｌａｐｐ  ｃａｎｅｌ」の「ｏｅｌｆｌｉｄ  １９１」（３Ｇ  １，５ｍｍ／１６ＡＷＧ）の型式のワイヤが適切であることが分かっている。電力をＬＥＤ４５に供給すると共にＬＥＤ４５の照明の色、密度などを制御する電源が、設けられてもよい。複数のステップが、例えば、建物内において連動して制御される必要がある場合、１つの電源をマスター制御装置として構成することができる。マスター制御装置または他の電源は、予設定値またはＰＣプログラムを介して、色を制御することができ、また照明を変化させないようにまたは変化させるように制御することができる。
【国際調査報告】
2008521722.tif 000006
2008521722.tif 000007